(57)【特許請求の範囲】
【請求項１】
透液性トップシートと不透液性バックシートとの間に吸収体を有してなる紙おむつ本体の背部両側に一端部が固定され、他端部表面に止着部を有するファスニングテープを前記紙おむつ本体の腹部外面に止着して装着するテープ型の使い捨て紙おむつにおいて、前記紙おむつ本体の背部両側のトップシートに、切取線を刻設したリリーステープの一端部を固定すると共に他端部を前記切取線の中心近傍を折り返し点として内側に折り返す一方、前記ファスニングテープの他端部表面に摘み代を空けて前記リリーステープの折返し部外面を固着してなることを特徴とするテープ型使い捨て紙おむつ。
【発明の詳細な説明】
【０００１】
【発明の属する技術分野】
本発明は、ファスニングテープを有する使い捨ての紙おむつに関し、さらに詳細には、ファスニングテープの仮止めを確実にできるようにした使い捨てのテープ型紙おむつに関する。
【０００２】
【従来の技術】
従来、使い捨ての紙おむつとして、予めパンツ型に形成された紙おむつの他、紙おむつ本体の背部両側に一端部が固定されたファスニングテープの他端部、すなわち自由端部を紙おむつ本体の腹部外面に止着して装着するテープ型の使い捨て紙おむつが知られている。このようなテープ型の紙おむつでは、おむつが工場で製造されてからユーザーにより使用されるまでの間、ファスニングテープが取り扱い上の邪魔とならないようにするため、このファスニングテープの先端部を仮止めしておくことが一般に行われている。
【０００３】
従来、このようにファスニングテープを仮止めする場合には、例えばファスニングテープの先端部を紙おむつ本体の腹部表面、またはファスニングテープ自体の表面に一時的に熱接着するヒートシール方式、あるいはファスニングテープの他端部にフック部材（オス材）を設けておき、これを紙おむつ本体の腹部外面のフロンタルテープ表面、またはファスニングテープ表面のループ部材（メス材）に機械的に係合止着して仮止めを行うメカニカルファスナー方式、さらにこの方式にピンエンボスを加えて係合力を補強する方式等が一般に行われている。
【０００４】
また、特開平１１−２７６５２４号公報には、上述したようなメカニカルシール方式に加え、ファスニングテープの自由端部を該テープの固定端部表面に塗設した粘着剤面に接着して仮止めを行う方式が開示されている。
【０００５】
図５は、この方式に係わる紙おむつの展開平面図であり、図６は、図５のＡ−Ａ断面図である。図示するように、この紙おむつ１００は、透液性のトップシート１０１と、不透液性のバックシート１０２と、これら両シート間に介在する吸収体１０３とからなる紙おむつ本体１０４により、前身頃１０５、後身頃１０６、股間部１０７を形成し、紙おむつ本体１０４の背部、すなわち後身頃１０６の胴周り部１０６Ｄの両側縁部にテープ部材１０８とフック部材１０９とで構成されたファスニングテープ１１０を固定してなるものである。なお、前身頃１０５の胴周り部１０５Ｄ、後身頃１０６の胴周り部１０６Ｄ、側縁部１１１の脚周り部１１１Ｄには、夫々、平面ギャザーを形成する周知の弾性伸縮部材１１２，１１３，１１４が設けられている。
【０００６】
この紙おむつ１００におけるファスニングテープ１１０の仮止めは、図６に仮想線で示すように、ファスニングテープ１１０の自由端部１１０Ａの表面を固定端部１１０Ｂの表面に折り重ね、トップシート１０１に穿設された開孔１１５を介してテープ部材１０８の表面に塗設された粘着剤１１６とフック部材１０９とを接合することにより行われる。図５の左上部において仮想線で示すファスニングテープ１１０はこのようにして仮止めされた状態を示している。
【０００７】
【発明が解決しようとする課題】
しかしながら、上述したような従来の紙おむつにおけるファスニングテープの仮止め方式では、いずれも、紙おむつの使用時にファスニングテープを簡単に引き出せるようにするため、かなり弱い接着力で仮止めが行われている。このため、例えば紙おむつの製造過程等において、ファスニングテープに少し強めの外力が加わると、このファスニングテープの仮止めが簡単に解除され、ファスニングテープの自由端部が紙おむつ本体から引き出されてしまうという欠点があった。
【０００８】
このように、ファスニングテープの自由端部が引き出されてヒラヒラしていると、紙おむつの製造過程、例えば紙おむつをコンパクトに折り畳んで包装する過程等において、この折り畳みに支障を生じたり、あるいはファスニングテープ自体に皺を生じる等の問題があった。
【０００９】
本発明は、上述したような実情に鑑みなされたもので、本発明の目的は、製造時から使用時までの間、ファスニングテープを確実に仮止めすることができ、使用時にはこのファスニングテープを容易に引き出せるようにした使い捨てのテープ型紙おむつを提供することにある。
【００１０】
【課題を解決するための手段】
本発明の上記目的は、透液性トップシートと不透液性バックシートとの間に吸収体を有してなる紙おむつ本体の背部両側に一端部が固定され、他端部表面に止着部を有するファスニングテープを前記紙おむつ本体の腹部外面に止着して装着するテープ型の使い捨て紙おむつにおいて、前記紙おむつ本体の背部両側のトップシートに、切取線を刻設したリリーステープの一端部を固定すると共に他端部を前記切取線の中心近傍を折り返し点として内側に折り返す一方、前記ファスニングテープの他端部表面に摘み代を空けて前記リリーステープの折返し部外面を固着してなることを特徴とするテープ型使い捨て紙おむつによって達成される。
【００１２】
【発明の実施の形態】
以下、本発明の内容を実施例を示す添付図面に基づき詳述する。
【００１３】
図１は、本発明の一実施例に係わるテープ型の使い捨て紙おむつ（以下、単に「紙おむつ」という）２００の展開平面図、図２（Ａ）は図１のＢ−Ｂ断面矢視図、（Ｂ）は仮止め状態を示す断面図である。なお、これらの図においては、図５及び図６に基づき前述した従来紙おむつ１００と対応する構成要素部分には２００番台の対応する番号が付されている。
【００１４】
図示するように、本紙おむつ２００は、肌触りのよい織布や不織布等からなる透液性のトップシート２０１と、肌触りのよいポリエチレンや防水フィルム等からなる、好ましくは表面全体を不織布によりラミネート処理をした不透液性のバックシート２０２と、綿状パルプやセルロース繊維等からなり、前記シート間に介在された吸収体２０３とにより構成された紙おむつ本体２０４により、前身頃２０５、後身頃２０６、股間部２０７を形成し、紙おむつ本体２０４の背部、すなわち後身頃２０６の胴周り部２０６Ｄの両側縁部に固定された、テープ部材２０８、フック部材２０９及びリリーステープ２２０とからなるファスニングテープ２１０により紙おむつ本体２０４を着用者に腰部に固定して装着するようにしたものである。前身頃２０５の胴周り部２０５Ｄ、後身頃２０６の胴周り部２０６Ｄ、側縁部２１１の脚周り部２１１Ｄには、夫々、平面ギャザーを形成する弾性伸縮部材２１２，２１３，２１４が設けられている。なお、上述したように、不透液性バックシート２０２の表面全体を不織布によりラミネート処理をすると、とくに柔らかい肌触りを得ることができる。よって、不透液性バックシート２０２をこのように作製した本紙おむつ２００によれば、ヒートシールやピンエンボス等による仮止め方式に起因し、不透液性バックシートの表面を逆に硬くしてしまう従来の紙おむつに較べ、一段と肌触りのよい紙おむつを提供することができる。
【００１５】
本紙おむつ２００におけるファスニングテープ２１０は、その基材に少なくとも表面が布状で不織布によるラミネート加工をしたものが好ましく用いられ、図２（Ａ）（Ｂ）に示すように、一端側、すなわち固定端部２１０Ｂ側がトップシート２０１とバックシート２０２とにより挟持されてホットメルト接着剤等により一体的に固着され、他端部側、すなわち自由端部２１０Ａ側のテープ部材２０８の表面にはきのこ状あるいは鉤状部材からなる公知のフック部材２０９が固着されている。なお、ファスニングテープ２１０の固定端部２１０Ｂはバックシート２の外面に固着してもよい。
【００１６】
紙おむつ本体２０４の背部両側の透液性トップシート２０１には、図２（Ｂ）に示すように、リリーステープ２２０の一端部２２０Ｂ側が接着剤等により固着され、他端部２２０Ａ側がテープ部材２０８の、前記フック部材２０９より内側の表面に固着されている。リリーステープ２２０の一端部２２０Ｂ側には切取線であるミシン目２２０Ｍが刻設されており、このミシン目２２０Ｍを中心として、あるいはこの中心近傍を折返し点として、一端部２２０Ｂが外側に折り返されて折返し部２２０Ｔが形成されている。この折返し部２２０Ｔの外面に、内側に折り返されたテープ部材２０８の先端部、すなわちファスニングテープ２１０の自由端部２１０Ａの表面がホットメルト接着剤等により固着されている。このとき、自由端部２１０Ａと折返し部２２０Ｔとの間に摘み代２１０Ｅが設けられる。具体的には、ファスニングテープ２１０の自由端部２１０Ａの先端からフック部材２０９の先端までの距離をｂとし、フック部材２０９の先端から内側に折り返されたテープ部材２０８の折返し端部までの距離をａとすると、ｂ<ａ／３、但しｂ<１０ｍｍ、好ましくは５ｍｍ<ｂ<７ｍｍ、の範囲に設定されている。また、ミシン目２２０Ｍは指先の力で切り離すことができる程度の強度をもって、具体的には、図２（Ｃ）に斜視図で示すように、ミシン目２２０Ｍのタイ（ｔｉｅ）の長さをｔとし、カット（ｃｕｔ）の長さをｃとすると、ｔ≦ｃ、但しｃ<２ｍｍ、の範囲に公知の手段により刻設されている。なお、このようなミシン目２２０Ｍに代わり、例えばリリーステープ２２０の幅方向に直線上の切込みを入れた切取線としてもよい。
【００１７】
以上のとおり、本紙おむつ２００は、製造工程において、紙おむつ本体２０４の背部両側のトップシート２０１に、ミシン目２２０Ｍを刻設したリリーステープ２２０の一端部２２０Ｂを固定すると共に他端部２２０Ａを内側に折り返す一方、ファスニングテープ２１０の自由端部２１０Ａを内側に折り返してリリーステープ２２０の折返し部２２０Ｔ外面に固着することにより、図２（Ｂ）に示すように、ファスニングテープ２１０の自由端部２１０Ａがしっかり仮止めされた状態で作製されている。
【００１８】
このように作製された本紙おむつ２００を使用する場合には、ファスニングテープ２１０の自由端部２１０Ａに設けられた摘み代２１０Ｅを親指と人差指で摘んで、図２（Ａ）に仮想線で示す仮止め状態から矢印Ｙの外側方向に開くと、リリーステープ２２０の一端部２２０Ｂがミシン目２２０Ｍから切り離され、この切離し端２２０Ｂ１が自由端部２１０Ａに固着されたままファスニングテープ２１０が展開される。このようにファスニングテープ２１０を展開した後、本紙おむつ２００の所定の装着作業が開始される。
【００１９】
以上のとおり作製された本紙おむつ２００によれば、製造からユーザーに使用されるまでの間、ファスニングテープ２１０の自由端部２１０Ａがトップシート２０１に固着されたリリーステープ２２０に確実に仮止めされているので、この間にファスニングテープ２１０にかなり強い外力が加えられても、この自由端部２１０Ａが紙おむつ本体２０４から簡単に外れて引き出されることがない。
【００２０】
また、本紙おむつ２００の使用時には、仮止め状態にあるファスニングテープ２１０の自由端部２１０Ａを指先の力で楽に切り離すことができるので、紙おむつの装着作業をスムーズに開始することができる。
【００２１】
以上、本発明の内容を一実施例に基づき説明したが、本発明は上記実施例に限定されるものではなく、特許請求の範囲を逸脱しない範囲において、その構成を種々に変更することができる。
【００２２】
図３は、本発明の他の実施例に係わるテープ型の使い捨て紙おむつ（以下、単に「紙おむつ」という）３００の要部の展開平面図、図３（Ａ）は図３のＣ−Ｃ断面矢視図、（Ｂ）は仮止め状態を示す断面図である。なお、これらの図においては、図１及び図２に基づき前述した本発明に係わる紙おむつ２００と対応する構成要素部分には３００番台の対応する番号が付されている。
【００２３】
本紙おむつ３００は、ファスニングテープ３１０の取付け方及び構造が前述した紙おむつ２００のファスニングテープ２１０と異なる以外、その他の構成は実質的に紙おむつ２００のものと同一である。よって、その他の構成については対応する３００番台の番号のみを付し、説明は省略する。
【００２４】
本紙おむつ３００におけるファスニングテープ３１０は、図４（Ａ）（Ｂ）に示すように、一端側、すなわち固定端部３１０Ｂ側がバックシート３０２にホットメルト接着剤等により一体的に固着され、他端部側先端部、すなわち自由端部３１０Ａ側の先端部に位置するテープ部材３０８の表面にはきのこ状あるいは鉤状部材からなる公知のフック部材３０９が固着されている。
【００２５】
紙おむつ本体３０４の背部両側の透液性トップシート３０１には、図４（Ｂ）に示すように、リリーステープ３２０の一端部３２０Ａ側が接着剤等により固着され、他端部３２０Ｂ側がミシン目３２０Ｍを中心に外側に折り返されて折返し部３２０Ｔが形成されている。この折返し部３２０Ｔの外面に、内側に折り返されたテープ部材３０８の先端部、すなわちファスニングテープ３１０の自由端部３１０Ａの表面がホットメルト接着剤等により固着されている。このとき、自由端部３１０Ａの先端部とフック部材３０９との間の領域は摘み代３１０Ｅとして設定される。なお、ミシン目３２０Ｍが指先の力で切り離すことができるようになっていることは前述したとおりである。
【００２６】
このように作製された本紙おむつ３００を使用する場合には、ファスニングテープ３１０の自由端部３１０Ａに設けられた摘み代３１０Ｅを親指と人差指で摘んで、図４（Ａ）に仮想線で示す仮止め状態から矢印Ｙの外側方向に開くと、リリーステープ３２０の一端部３２０Ｂがミシン目３２０Ｍから切り離され、この切離し端３２０Ｂ１が自由端部３１０Ａ表面の、フック部材３０９の内側に固着されたままファスニングテープ３１０が展開される。このようにファスニングテープ３１０を展開した後、本紙おむつ３００の所定の装着作業が開始される。
【００２７】
以上のとおり作製された本紙おむつ３００によっても、前記同様に、ファスニングテープ３１０にかなり強い外力が加えられても、この自由端部３１０Ａが紙おむつ本体３０４から外れて引き出されることがなく、また、使用時には、仮止め状態にあるファスニングテープ３１０の自由端部３１０Ａを指先の力で楽に切り離すことができるので、紙おむつの装着作業をスムーズに開始することができる。
【００２８】
【発明の効果】
以上に詳述したように、本発明に係わる使い捨てのテープ型紙おむつによれば、製造時から使用時までの間、ファスニングテープを確実に仮止めすることができるので、製造過程、あるいは使用前の取り扱いにおいてトラブルを生じることがなく、また、ユーザーが使用する場合にはこのファスニングテープを容易に引き出すことができるという、実用上顕著な効果が得られる。
【００２９】
なお、本発明に係わるファスニングテープの仮止め方式は、テープ型紙おむつの装着時に使用されるファスニングテープの仮止め以外に、例えば特開２００１−１７８７７７号公報に開示されているような、使用済みの紙おむつを廃棄するときに用いられる止着テープにも十分応用することができる。
【図面の簡単な説明】
【図１】本発明の一実施例に係わるテープ型使い捨て紙おむつの展開平面図である。
【図２】（Ａ）は図１のＢ−Ｂ断面矢視図、（Ｂ）は仮止め状態を示す断面図、（Ｃ）はミシン目の刻設状態を示す斜視図である。
【図３】本発明の他の実施例に係わるテープ型使い捨て紙おむつの要部の展開平面図である。
【図４】（Ａ）は図３のＣ−Ｃ断面矢視図、（Ｂ）は仮止め状態を示す断面図である。
【図５】従来のテープ型使い捨て紙おむつの展開平面図である。
【図６】図５のＡ−Ａ断面矢視図である。
【符号の説明】
１００，２００，３００                  テープ型使い捨て紙おむつ
１０１，２０１，３０１                  透液性トップシート
１０２，２０２，３０２                  不透液性バックシート
１０３，２０３，３０３                  吸収体
１０４，２０４，３０４                  紙おむつ本体
１０８，２０８，３０８                  テープ部材
１０９，２０９，３０９                  フック部材
１１０，２１０，３１０                  ファスニングテープ
１１６                                  粘着剤
２２０，３２０                          リリーステープ
【図１】
0004017905.tif 000002
【図２】
0004017905.tif 000003
【図３】
0004017905.tif 000004
【図４】
0004017905.tif 000005
【図５】
0004017905.tif 000006
【図６】
0004017905.tif 000007